(57)【要約】【課題】空調の設定が意図しない動作をした（低頻度不具合）場合の原因を容易に推定可能な車両用エアコン装置を提供する。【解決手段】車両用エアコン装置ＡＣは、操作パネルＣＰの入力内容を、操作パネルＣＰが操作されたときの各種空調センサＳＥのセンサ値及び空調ユニットＣＵの出力内容と対応付けて記憶する不揮発性メモリ５０４と、不揮発性メモリ５０４に操作パネルＣＰの入力内容、各種空調センサＳＥのセンサ値及び空調ユニットＣＵの出力内容の書き込みを指示するＣＰＵ５０１（制御手段）とを備える。【選択図】図１
2009196395.tif 000002
【特許請求の範囲】
【請求項１】
操作パネルが操作されたとき各種空調センサのセンサ値に基づいて空調ユニットを制御する車両用エアコン装置において、
前記操作パネルの入力内容を、該操作パネルが操作されたときの前記各種空調センサのセンサ値および前記空調ユニットの出力内容と対応付けて記憶する不揮発性メモリと、
前記不揮発性メモリに前記操作パネルの入力内容、前記各種空調センサのセンサ値および前記空調ユニットの出力内容の書き込みを指示する制御手段と、
を備えたことを特徴とする車両用エアコン装置。
【請求項２】
前記操作パネルの入力内容は、該操作パネルが操作された日時情報を含み、前記空調ユニットの出力内容は、前記操作パネルが操作されたときの該空調ユニットの吹出温度、風量、吹出口および吸込口に関する情報を含んでなる請求項１に記載の車両用エアコン装置。
【請求項３】
前記制御手段は、前記操作パネルの入力内容、前記各種空調センサのセンサ値および前記空調ユニットの出力内容を前記不揮発性メモリの書き換え用領域に書き込むように指示するとともに、前記書き込まれた内容の更新を指示する請求項１または２に記載の車両用エアコン装置。
【請求項４】
前記制御手段は、前記空調ユニットの出力内容が、予め設定されている前記空調ユニットの空調制御パターンに従っているかを判定し、前記空調ユニットの出力内容が前記空調制御パターンに従っていないと判定したとき、前記操作パネルの入力内容、前記各種空調センサのセンサ値および前記空調ユニットの出力内容を前記不揮発性メモリの非書き換え用領域に書き込むように指示する請求項１〜３のいずれか１項に記載の車両用エアコン装置。
【発明の詳細な説明】
【技術分野】
【０００１】
本発明は車両用エアコン装置に関し、特に操作パネルが操作されたとき各種空調センサのセンサ値に基づいて空調ユニットを制御する車両用エアコン装置に関する。
【背景技術】
【０００２】
この種の車両用エアコン装置として、例えば下記特許文献１に記載されているように、車室内で求められる空調状態が乗員毎に異なることを考慮して、乗員の好む空調状態とするための補正情報を記憶したカード式メモリを乗員毎に用意しておき、乗員が異なる座席に着座した場合（例えば、助手席から運転席に席を替えた場合）でも、カード式メモリの補正情報に基づいて乗員の好みの空調状態を得るようにしたものが知られている。この特許文献１に記載された車両用エアコン装置では、空調状態に関する乗員の過去の設定履歴がカード式メモリに記憶されるようになっている。
【０００３】
【特許文献１】特開平９−３９５４３号公報
【発明の開示】
【発明が解決しようとする課題】
【０００４】
ところで、操作パネルを操作したという認識がユーザにないにもかかわらず、空調の設定が勝手に切り替わったというクレームがメーカー側に寄せられることがある（ＮＴＦ：Non Trouble Fail）。このとき、操作パネルのスイッチの異常等、ハードの故障に因ることが明らかであれば、その原因の特定は容易であるが、ハードの故障に因らない場合は、その原因の特定は極めて困難である。この場合、上記特許文献１に記載されたカード式メモリに記憶された設定履歴を参照するようにすれば、原因推定の一助とはなる。しかしながら、上記カード式メモリには、乗員の好みの空調状態に関する設定履歴が記憶されるにすぎないので、上記した原因を推定するための情報としては十分でない。
【０００５】
本発明の課題は、空調の設定が意図しない動作をした（低頻度不具合）場合の原因を容易に推定可能な車両用エアコン装置を提供することにある。
【課題を解決するための手段及び発明の効果】
【０００６】
上記課題を解決するために、本発明は、操作パネルが操作されたとき各種空調センサのセンサ値に基づいて空調ユニットを制御する車両用エアコン装置において、操作パネルの入力内容を、操作パネルが操作されたときの各種空調センサのセンサ値および空調ユニットの出力内容と対応付けて記憶する不揮発性メモリと、不揮発性メモリに操作パネルの入力内容、各種空調センサのセンサ値および空調ユニットの出力内容の書き込みを指示する制御手段と、を備えたことを特徴とする。この場合、操作パネルの入力内容は、例えば操作パネルが操作された日時情報を含み、空調ユニットの出力内容は、例えば操作パネルが操作されたときの空調ユニットの吹出温度、風量、吹出口および吸込口に関する情報を含んでなると好適である。
【０００７】
これによれば、制御手段により、操作パネルの入力内容が、操作パネルが操作されたときの各種空調センサのセンサ値および空調ユニットの出力内容と対応付けて不揮発性メモリに記憶される。
【０００８】
このため、操作パネルの入力内容と空調ユニットの出力内容等とを照合することにより、例えば実際にはユーザが操作パネルを操作していたにもかかわらず操作パネルを操作していないとの思い違いが原因であることを特定することができる。また、例えばどのような操作が、どのような環境下で、どのくらいの頻度で行われているかを後に確認することにより、所定の条件が揃った場合に発生する空調ユニットの誤動作が原因であることを容易に推定することができ、調査対象を絞り込むことが可能である。
【０００９】
また、制御手段は、操作パネルの入力内容、各種空調センサのセンサ値および空調ユニットの出力内容を不揮発性メモリの書き換え用領域に書き込むように指示するとともに、書き込まれた内容の更新を指示する構成にするとよい。この場合、例えば書き込まれた内容の古いものから順に更新させるようにしてもよいし、書き込まれた内容を一括して更新させるようにしてもよい。
【００１０】
これによれば、制御手段により、過去の操作パネルの入力内容および空調ユニットの出力内容等が、新たな操作パネルの入力内容および空調ユニットの出力内容等に書き換えられる。このため、不揮発性メモリとして記憶容量の小さい安価なものを使用することができる。
【００１１】
また、制御手段は、空調ユニットの出力内容が、予め設定されている空調ユニットの空調制御パターンに従っているかを判定し、空調ユニットの出力内容が空調制御パターンに従っていないと判定したとき、操作パネルの入力内容、各種空調センサのセンサ値および空調ユニットの出力内容を不揮発性メモリの非書き換え用領域に書き込むように指示する構成にするとよい。なお、空調ユニットの空調制御パターンとは、例えば夏用、冬用など季節に応じて設定されたオート空調設定時の吹出温度制御パターン、風量制御パターン、吹出口切替制御パターン、吸込口切替制御パターンなどを意味する。また、空調ユニットの出力内容が空調制御パターンに従っていないとは、例えば夏用に設定された空調制御パターンが冬場に実施されたり、これとは逆に冬用に設定された空調制御パターンが夏場に実施されるなど、空調ユニットの出力内容が現実の環境状況に則していないことが明らかな場合を意味する。
【００１２】
これによれば、制御手段により、空調ユニットの出力内容が空調制御パターンに従っていないと判定されたとき、操作パネルの入力内容、各種空調センサのセンサ値および空調ユニットの出力内容が不揮発性メモリの非書き換え用領域に書き込まれる。このため、空調ユニットの異常時の内容を確実に履歴として残すことができる。
【発明を実施するための最良の形態】
【００１３】
ａ．第１実施形態
以下、本発明の第１実施形態について図面を用いて説明する。図１は本発明を適用した車両用エアコン装置ＡＣの全体を概略的に示したブロック図である。車両用エアコン装置ＡＣは、車両に組み込まれた空調ユニットＣＵを備えている。空調ユニットＣＵはダクト１を備え、このダクト１には、車内の空気を循環させるための内気吸込口１３と、車外の空気を導入するための外気吸込口１４とが形成されている。内気吸込口１３と外気吸込口１４は、内外気切替用ダンパ１５により切り替えられ、内気吸込口１３又は外気吸込口１４からの空気が、ブロワモータ２３により駆動されるブロワ１６によってダクト１内に吸い込まれる。
【００１４】
ダクト１内には、吸い込まれた空気を冷却して冷気を発生させるためのエバポレータ１７と、吸い込まれた空気を加熱して暖気を発生させるためのヒータコア２とが設けられている。冷気と暖気は、エアミックスダンパ３の角度位置に対応した比率で混合され、デフ吹出口（ＤＥＦ）４、フェイス吹出口（ＦＡＣＥ）５、フット吹出口（ＦＯＯＴ）６から吹き出される。
【００１５】
デフ吹出口４は、フロントグラスの内面下縁に対応するインパネ上方奥に、フェイス吹出口５はインパネの正面中央に、フット吹出口６はインパネ下面奥に開口し、それぞれ吹出口切替用ダンパ７，８，９により開閉される。
【００１６】
具体的には、吹出口切替用サーボモータ２０からのダンパ制御用の回転入力位相に応じて、ダンパ駆動ギア機構１０により、デフ吹出口４のみが開いた状態、フェイス吹出口５のみが開いた状態、フット吹出口６のみが開いた状態、フェイス吹出口５とデフ吹出口４が開いた状態、フット吹出口６とデフ吹出口４が開いた状態、フェイス吹出口５、デフ吹出口４及びフット吹出口６が開いた状態のうちの何れかの状態となるように開閉される。
【００１７】
内外気切替用ダンパ１５は内外気切替用サーボモータ２１により、エアミックスダンパ３はエアミックス用サーボモータ１９により、吹出口切替用ダンパ７，８，９は吹出口切替用サーボモータ２０により駆動される。ブロワモータ２３は、例えばブラシレスモータで構成され、ＰＷＭ制御により回転速度が調整されてブロワ風量が調整される。各モータ１９〜２１，２３は、エアコンＥＣＵ５０により駆動制御される。
【００１８】
エバポレータ１７には、気化した冷媒ガスを圧縮して液体に戻す前に液化し易いように加圧する可変コンプレッサ１８が接続されている。可変コンプレッサ１８は、例えば斜板の傾斜角を変化させるためのソレノイドバルブ１８ａを備えた周知のものである。ソレノイドバルブ１８ａは、エアコンＥＣＵ５０により駆動制御される。
【００１９】
エアコンＥＣＵ５０は、ＣＰＵ５０１、ＲＯＭ５０２、ＲＡＭ５０３、不揮発性メモリ５０４及び時計ＩＣ５０５、並びにこれらを接続する内部バスライン５０６を含んで構成されている。
【００２０】
ＣＰＵ５０１（制御手段）は、ＲＯＭ５０２に記憶されたエアコン制御ファームウェア（図示せず）の実行に応じて、可変コンプレッサ１８のソレノイドバルブ１８ａを駆動するソレノイドバルブ駆動回路（図示省略）、ブロワモータ２３を駆動するブロワモータ駆動回路（図示省略）、各種リレー（例えばブロワ風量をＨ又はＬレベルに保持する）を駆動するリレー駆動回路（図示省略）へ制御信号を出力する。
【００２１】
ＲＯＭ５０２には、エアコン制御のための各種制御プログラムに加えて、図３の書き込み指示プログラムが記憶されている。ＲＡＭ５０３は、ＣＰＵ５０１が取得した各種センサ信号や、スイッチ信号、駆動信号、通信データ、ダイアグコードなどを一時的に記憶したり、プログラムの実行に使用されたりするワーク用のメモリとして機能する。
【００２２】
不揮発性メモリ５０４は、車両用エアコン装置ＡＣが非動作時或いはエアコンＥＣＵ５０の電源がオフ状態の場合にも、記憶内容を保持可能なものであり、例えばＥＥＰＲＯＭ（Electrically  Erasable  &  Programmable  Read  Only  Memory：電気的消去・プログラム可能・読出し専用メモリ）で構成されていて、各種空調センサＳＥのセンサ信号や、スイッチ信号、時計ＩＣ５０５からの日時データなどが、書き換え用の記憶領域に書き込まれるようになっている。不揮発性メモリ５０４については、後述する。
【００２３】
時計ＩＣ５０５は、リアルタイムクロックＩＣとも呼ばれ、ＣＰＵ５０１からの要求に応じてカレンダー・時刻を設定し、必要に応じてそのデータをＣＰＵ５０１に送る。
【００２４】
エアコンＥＣＵ５０には、各種空調センサＳＥが接続されている。各種空調センサＳＥは、エバポレータ１７を通過した直後の空気の温度ＴＥを検出するエバ温度センサ５１、車室内の内気温ＴＲを検出する内気センサ５２、外気温ＴＡＭを検出する外気センサ５３、エンジン冷却水温ＴＷを検出する水温センサ５４、日射量ＴＳを検出する日射センサ５５などで構成されている。各種空調センサＳＥのセンサ信号は、エアコンＥＣＵ５０へ入力される。
【００２５】
また、エアコンＥＣＵ５０には、操作パネルＣＰが接続されている。操作パネルＣＰには、ブロワレベルを設定する風量設定スイッチ６１、吹出モードを設定する（吹出口を切り替える）モードスイッチ６２、室温を設定する温度設定スイッチ６３、可変コンプレッサ１８を作動させるＡ／Ｃスイッチ６４、内気モードまたは外気モードを設定する（吸込口を切り替える）内外気切替スイッチ６５、送風を停止する送風オフスイッチ６６、デフロスタを作動させるＤＥＦスイッチ６７、ブロワモータ２３及び可変コンプレッサ１８を自動的に作動させるオート切替スイッチ６８、およびリアデフォッガ（図示せず）を作動させるリアデフスイッチ６９が、それぞれ設定時に点灯するインジケータ用光源ＩＮＤと共に組み込まれている。また、コントロールパネルＣＰには、設定温度、ブロワレベル、吹出モード、時刻などのエアコン動作に関する各種情報を表示する液晶ディスプレイ７１が組み込まれている。また、エアコンＥＣＵ５０は、ＣＡＮバス３１を介して各種ＥＣＵ１００と通信可能に接続されている。
【００２６】
図２に、エアコンＥＣＵ５０における不揮発性メモリ５０４のメモリマップを示す。不揮発性メモリ５０４は、スペースの決められた多くの記憶領域（ボックス）で構成されており、各ボックスがアドレス（例えば１〜１０）で管理されている。１つのアドレスには、操作パネルＣＰの入力内容に対応して、操作パネルＣＰが操作されたときの各種空調センサＳＥのセンサ値及び空調ユニットＣＵの出力内容が格納されるようになっている。
【００２７】
具体的に、操作パネルＣＰの入力内容としては、各種スイッチ６１〜６９のスイッチ信号（オン・オフ信号、設定温度データ、設定ブロワレベルデータなど）、時計ＩＣ５０５からの操作パネルＣＰが操作された日時データなどがある。各種空調センサＳＥのセンサ値としては、操作パネルＣＰが操作されたときの各種空調センサＳＥのセンサ信号（電圧値、電流値、抵抗値など）などがある。
【００２８】
空調ユニットＣＵの出力内容としては、操作パネルＣＰが操作されたときの吹出温度（ユーザの希望温度に早く近づけるために所定の計算式に基づいて算出された計算値（ＴＡＯ））、ブロワモータ２３の風量（ブロワレベル）、吹出口（ＦＡＣＥ、ＢＩ−ＬＥＶＥＬ、ＦＯＯＴ、ＤＥＦ）、吸込口（外気導入、内気循環）、可変コンプレッサ１８の回転数、エアミックスダンパ３の目標開度（計算値）、エアミックスダンパ３の実際の開度などがある。
【００２９】
次に、上記のように構成した第１実施形態の作動について説明する。エアコンＥＣＵ５０のＣＰＵ５０１は、操作パネルＣＰの各スイッチ操作に応じてエアコン制御のための各種制御プログラムを実行するとともに、図３の書き込み指示プログラムを実行する。
【００３０】
この書き込み指示プログラムは、ステップＳ１０にてその実行が開始される。操作パネルＣＰが操作されると（ステップＳ１１：ＹＥＳ）、ＣＰＵ５０１は、不揮発性メモリ５０４に対して同一アドレスに操作パネルＣＰの入力内容、操作パネルＣＰが操作された日時、操作パネルＣＰが操作されたときの各種空調センサＳＥのセンサ値及び空調ユニットＣＵの出力内容を書き込む指示を与え、書き込むデータを渡す（ステップＳ１２）。
【００３１】
ステップＳ１２の処理の実行後、ステップＳ１３にて、この書き込み指示プログラムの実行を一旦終了する。以後、ステップＳ１０〜Ｓ１３の処理が繰り返し実行され、不揮発性メモリ５０４のアドレス１から順にデータが書き込まれる。データの書き込まれたアドレスが所定数（例えば１０）に達した場合には、ＣＰＵ５０１はアドレス１から順にデータを書き換える指示を与え、書き込むデータを渡す。
【００３２】
なお、不揮発性メモリ５０４に格納されたデータは、ディーラー或いは整備工場に設置されている外部故障診断装置２００（図１参照）が、所定のコネクタを介してＣＡＮバス３１に接続され、かつイグニッションスイッチがオンされたとき、ＣＰＵ５０１が読み出して外部故障診断装置２００へ出力する。
【００３３】
以上の説明からも明らかなように、この第１実施形態では、ＣＰＵ５０１による図３のステップＳ１１，Ｓ１２の処理により、操作パネルＣＰの入力内容が、操作パネルＣＰが操作された日時、操作されたときの各種空調センサＳＥのセンサ値及び空調ユニットＣＵの出力内容と対応付けて不揮発性メモリ５０４に記憶される。
【００３４】
その結果、操作パネルＣＰの入力内容と空調ユニットＣＵの出力内容等とを照合することにより、例えば実際にはユーザが操作パネルＣＰを操作していたにもかかわらず操作パネルＣＰを操作していないとの思い違いが原因であることを特定することができる。また、例えばどのような操作が、どのような環境下で、どのくらいの頻度で行われているかを確認することにより、所定の条件が揃った場合に発生する空調ユニットＣＵの誤動作が原因であることを容易に推定することができ、調査対象を絞り込むことが可能である。
【００３５】
また、この第１実施形態では、過去の操作パネルＣＰの入力内容及び空調ユニットＣＵの出力内容等が、新たな操作パネルＣＰの入力内容及び空調ユニットＣＵの出力内容等に書き換えられる。これにより、不揮発性メモリとして記憶容量の小さい安価なものを使用することができる。
【００３６】
ｂ．第２実施形態
上記第１実施形態では、不揮発性メモリ５０４が書き換え用の記憶領域のみを備えるように構成したが、この第２実施形態では、例えば図４に示すように、不揮発性メモリ５０４’が書き換え用の記憶領域５０４ａに加えて、非書き換え用の記憶領域５０４ｂを備えている。また、ＲＯＭ５０２’には、夏用空調テーブル５０２ａと冬用空調テーブル５０２ｂとが記憶されるとともに、図３の書き込み指示プログラムに代えて、図５の書き込み指示プログラムが記憶されている。なお、その他の構成は、上記第１実施形態と同じである。
【００３７】
夏用空調テーブル５０３ａは、夏場にてオート空調設定時に実行される空調制御パターンを記憶している。具体的には、例えば図６（ａ）に示すような吹出温度制御パターン、図７（ａ）に示すような風量制御パターン、図８（ａ）に示すような吹出口切替制御パターン、図９（ａ）に示すような吸込口切替制御パターンを記憶している。
【００３８】
同様に、冬用空調テーブル５０３ｂは、冬場にてオート空調設定時に実行される空調制御パターンを記憶している。具体的には、例えば図６（ｂ）に示すような吹出温度制御パターン、図７（ｂ）に示すような風量制御パターン、図８（ｂ）に示すような吹出口切替制御パターン、図９（ｂ）に示すような吸込口切替制御パターンを記憶している。
【００３９】
次に、上記のように構成した第２実施形態の作動について説明する。エアコンＥＣＵ５０のＣＰＵ５０１は、操作パネルＣＰの各スイッチ操作に応じてエアコン制御のための各種制御プログラムを実行することに加えて、図５の書き込み指示プログラムを実行する。
【００４０】
この書き込み指示プログラムは、ステップＳ２０にてその実行が開始される。操作パネルＣＰが操作され（ステップＳ２１：ＹＥＳ）、その操作がオート切替スイッチ６８のオン操作でない場合には（ステップＳ２２：ＮＯ）、上記第１実施形態と同様、ＣＰＵ５０１は、不揮発性メモリ５０４に対して書き換え用の記憶領域５０４ａの同一アドレスに操作パネルＣＰの入力内容、操作パネルＣＰが操作された日時、操作パネルＣＰが操作されたときの各種空調センサＳＥのセンサ値及び空調ユニットＣＵの出力内容を書き込む指示を与え、書き込むデータを渡す（ステップＳ２３）。
【００４１】
ステップＳ２３の処理の実行後、ステップＳ２６にて、この書き込み指示プログラムの実行を一旦終了する。以後、オート切替スイッチ６８のオフ状態が続けば、ステップＳ２０〜Ｓ２３，Ｓ２６の処理が繰り返し実行され、不揮発性メモリ５０４における書き換え用の記憶領域５０４ａのアドレス１から順にデータが書き込まれる。データの書き込まれたアドレスが所定数（例えば１０）に達した場合には、ＣＰＵ５０１はアドレス１から順にデータを書き換える指示を与え、書き込むデータを渡す。
【００４２】
一方、操作パネルＣＰが操作され（ステップＳ２１：ＹＥＳ）、その操作がオート切替スイッチ６８のオン操作である場合、或いはステップＳ２０〜Ｓ２３，Ｓ２６の処理の実行中にオート切替スイッチ６８がオン操作された場合には（ステップＳ２２：ＹＥＳ）、空調ユニットＣＵの出力内容が空調テーブルの各制御パターンに従っているか否かを判定する（ステップＳ２４）。
【００４３】
具体的には、オート切替スイッチ６８がオン操作されたときからの吹出温度が、夏場では例えば図６（ａ）に示す吹出温度制御パターンに従っているかを判定し、冬場では例えば図６（ｂ）に示す吹出温度制御パターンに従っているかを判定する。また、必要吹出温度（ＴＡＯ）に対応するブロワレベルが、夏場では例えば図７（ａ）に示す風量制御パターンに従っているかを判定し、冬場では例えば図７（ｂ）に示す風量制御パターンに従っているかを判定する。
【００４４】
また、必要吹出温度（ＴＡＯ）に対応する吹出口が、夏場では例えば図８（ａ）に示す吹出口切替制御パターンに従っているかを判定し、冬場では例えば図８（ｂ）に示す吹出口切替制御パターンに従っているかを判定する。さらに、必要吹出温度（ＴＡＯ）に対応する吸込口が、夏場では例えば図９（ａ）に示す吸込口切替制御パターンに従っているかを判定し、冬場では例えば図９（ｂ）に示す吸込口切替制御パターンに従っているかを判定する。
【００４５】
そして、空調ユニットＣＵの出力内容の何れか一つでも、参照された制御パターンに従っていないと判定した場合には（ステップＳ２４：ＮＯ）、ＣＰＵ５０１は、不揮発性メモリ５０４に対して非書き換え用領域５０４ｂの同一アドレスに、操作パネルＣＰの入力内容、その日時、そのときの各種空調センサＳＥのセンサ値及び空調ユニットＣＵの出力内容を書き込む指示を与え、書き込むデータを渡す（ステップＳ２５）。
【００４６】
以上の説明からも明らかなように、この第２実施形態では、ＣＰＵ５０１による図５のステップＳ２４の処理により、空調ユニットＣＵの出力内容が、ＲＯＭ５０２に記憶されている判定テーブル５０２ａ，５０２ｂの各空調制御パターンに従っているかが判定される。空調ユニットＣＵの出力内容が各空調制御パターンに従っていないと判定されたとき、ＣＰＵ５０１によるステップＳ２５の処理により、不揮発性メモリ５０４の非書き換え用領域５０４ｂに、操作パネルＣＰの入力内容、その日時、そのときの各種空調センサＳＥのセンサ値及び空調ユニットＣＵの出力内容が書き込まれる。これにより、空調ユニットＣＵの異常時の内容を確実に履歴として残すことができる。
【００４７】
なお、上記第１及び第２実施形態では、不揮発性メモリ５０４として例えばＥＥＰＲＯＭを使用して、アドレスに記憶されたデータを個別（ボックス毎）に更新するように構成したが、不揮発性メモリ５０４として例えばフラッシュメモリを使用して、アドレスに記憶されたデータを一括して（ボックス全体を）更新するように構成してもよい。
【００４８】
また、上記第２実施形態では、図５の書き込み指示プログラムの実行に際して、操作パネルＣＰが操作され、その操作がオート切替スイッチ６８のオン操作でない場合に、上記第１実施形態と同じステップＳ２３の処理が実行されるように構成したが、図５の書き込み指示プログラムにおいてステップＳ２１，Ｓ２３の処理を省略し、オート切替スイッチ６８がオンされない場合は、この書き込み指示プログラムの実行を終了させる構成としてもよい。
【００４９】
また、上記第２実施形態では、ＲＯＭ５０２’に夏用空調テーブル５０２ａと冬用空調テーブル５０２ｂとを設けるように構成したが、これらに加えて、例えば春用、秋用の空調テーブルを設けてもよい。
【００５０】
また、上記第１及び第２実施形態では、操作パネルＣＰが操作された日時データを時計ＩＣ５０５から取得するように構成したが、例えば各種ＥＣＵ１００の一つであるナビＥＣＵから取得する構成としてもよい。
【図面の簡単な説明】
【００５１】
【図１】本発明の第１及び第２実施形態に係る車両用エアコン装置を概略的に示すブロック図。
【図２】本発明の第１実施形態に係り、図１のエアコンＥＣＵにおける不揮発性メモリのメモリマップを模式的に示す説明図。
【図３】本発明の第１実施形態に係り、図１のエアコンＥＣＵのＣＰＵにより実行される書き込み指示プログラムを示すフローチャート。
【図４】本発明の第２実施形態に係り、図１のエアコンＥＣＵにおける不揮発性メモリのメモリマップと、ＲＯＭに記憶された空調テーブルを模式的に示す説明図。
【図５】本発明の第２実施形態に係り、図１のエアコンＥＣＵのＣＰＵにより実行される書き込み指示プログラムを示すフローチャート。
【図６】（ａ）は図４の夏用空調テーブルに記憶された吹出温度制御パターンを示す説明図。（ｂ）は図４の冬用空調テーブルに記憶された吹出温度制御パターンを示す説明図。
【図７】（ａ）は図４の夏用空調テーブルに記憶された風量制御パターンを示す説明図。（ｂ）は図４の冬用空調テーブルに記憶された風量制御パターンを示す説明図。
【図８】（ａ）は図４の夏用空調テーブルに記憶された吹出口切替制御パターンを示す説明図。（ｂ）は図４の冬用空調テーブルに記憶された吹出口切替制御パターンを示す説明図。
【図９】（ａ）は図４の夏用空調テーブルに記憶された吸込口切替制御パターンを示す説明図。（ｂ）は図４の冬用空調テーブルに記憶された吸込口切替制御パターンを示す説明図。
【符号の説明】
【００５２】
ＡＣ  車両用エアコン装置
ＳＥ  各種空調センサ
ＣＰ  操作パネル
５０  エアコンＥＣＵ
５０１  ＣＰＵ（制御手段）
５０２，５０２’  ＲＯＭ
５０３  ＲＡＭ
５０４，５０４’  不揮発性メモリ
５０４ａ  書き換え用領域
５０４ｂ  非書き換え用領域
５０５  時計ＩＣ
【図１】
2009196395.tif 000003
【図２】
2009196395.tif 000004
【図３】
2009196395.tif 000005
【図４】
2009196395.tif 000006
【図５】
2009196395.tif 000007
【図６】
2009196395.tif 000008
【図７】
2009196395.tif 000009
【図８】
2009196395.tif 000010
【図９】
2009196395.tif 000011